(57)【要約】      （修正有）【課題】タンク本体の高さが変化する場合でも、ロッドの長さを変えることなくタンク本体内で吸込フィルタを適正に保持する。【解決手段】高さ寸法Ａ１を有するタンク本体１２内でロッド１５の自由端１５Ａを保持するときには、タンク本体１２の高さ寸法Ａ１に対応したロッド保持部材１８を選択してフィルタ挿通孔１６に取付け、タンク本体１２よりも大きな高さ寸法を有するタンク本体内でロッド１５の自由端を保持するときには、タンク本体の高さ寸法に対応したロッド保持部材を選択してフィルタ挿通孔１６に取付ける。この結果、高さ寸法Ａ１を有するタンク本体１２を用いた場合でも、より大きな高さ寸法を有するタンク本体を用いた場合でも、ロッド１５の長さ寸法Ｂ１を変化させることなく、吸込フィルタ１４を、吸込管１３の開口端１３Ａを覆った状態に保持しておくことができる。【選択図】図３
2008185130.tif 000002
【特許請求の範囲】
【請求項１】
液体を貯溜するタンク本体と、該タンク本体の下側に開口して設けられポンプに吸込まれる液体が流通する吸込管と、該吸込管を覆って着脱可能に取付けられ該吸込管を流通する液体を清浄化する吸込フィルタと、下端側が該吸込フィルタに固定され上端側が自由端となったロッドと、前記タンク本体の上側に設けられ前記吸込フィルタと該ロッドとが一緒に挿通されるフィルタ挿通孔と、該フィルタ挿通孔を施蓋しつつ前記タンク本体内へと突出し前記ロッドの自由端を保持するロッド保持部材とを備えてなるタンク装置において、
前記ロッド保持部材は、前記タンク本体内への突出長さが異なる複数種類を備え、これら複数種類のロッド保持部材のうち前記タンク本体の高さに対応した一つのロッド保持部材を選択して前記フィルタ挿通孔に取付ける構成としたことを特徴とするタンク装置。
【請求項２】
前記ロッド保持部材は、前記フィルタ挿通孔を施蓋する蓋体と、基端側が該蓋体に取付けられ先端側が前記ロッドの自由端が嵌入されるロッド嵌入部となったパイプ体とにより構成してなる請求項１に記載のタンク装置。
【請求項３】
前記パイプ体の先端側には、前記パイプ体のロッド嵌入部に前記ロッドの自由端を嵌入するときに前記ロッド嵌入部と前記ロッドの自由端とを前記フィルタ挿通孔から目視するための目視用開口を設ける構成としてなる請求項２に記載のタンク装置。
【請求項４】
前記パイプ体の先端側には、前記ロッドの自由端を前記ロッド嵌入部へと案内するため先端側が拡径したテーパ筒部を設ける構成としてなる請求項２または３に記載のタンク装置。
【請求項５】
前記パイプ体は前記タンク本体の高さに応じて長さが異なる複数種類を備え、これら複数種類のパイプ体のうち一つのパイプ体を選択して前記蓋体に着脱可能に取付ける構成としてなる請求項２，３または４に記載のタンク装置。
【発明の詳細な説明】
【技術分野】
【０００１】
本発明は、例えば油圧ショベル等の建設機械に搭載される作動油タンク等として好適に用いられるタンク装置に関する。
【背景技術】
【０００２】
一般に、建設機械としての油圧ショベルは、自走可能な下部走行体と、該下部走行体上に旋回可能に搭載された上部旋回体と、該上部旋回体の前部側に俯仰動可能に設けられた作業装置とにより大略構成され、上部旋回体を旋回させつつ作業装置を俯仰動させることにより、土砂の掘削作業等を行うものである。
【０００３】
ここで、油圧ショベルには、下部走行体を走行させる走行用の油圧モータ、上部旋回体を旋回させる旋回用の油圧モータ、作業装置のブーム、アーム、バケットを作動させる油圧シリンダ等の各種の油圧アクチュエータが搭載されている。そして、これら油圧アクチュエータに供給される作動油は、上部旋回体に設けられた作動油タンク装置内に貯溜され、この作動油タンク装置内の作動油を油圧ポンプによって吸込み、油圧アクチュエータに圧送することにより、油圧ショベルが走行動作、旋回動作、掘削作業等を行う構成となっている。
【０００４】
この場合、作動油タンク装置は、通常、作動油を貯溜するタンク本体と、該タンク本体の下側に開口して設けられポンプに吸込まれる作動油が流通する吸込管と、該吸込管を覆って着脱可能に取付けられ該吸込管を流通する作動油を清浄化する吸込フィルタと、下端側が該吸込フィルタに固定され上端側が自由端となったロッドと、タンク本体の上側に設けられ吸込フィルタとロッドとが一緒に挿通されるフィルタ挿通孔と、該フィルタ挿通孔を施蓋しつつタンク本体内へと突出し前記ロッドの上端側を保持するロッド保持部材とを備えて構成されている（例えば、特許文献１，２）。
【０００５】
【特許文献１】特開２００６−４６４３７号公報
【特許文献２】特開２００６−４６０１６号公報
【０００６】
そして、従来技術による作動油タンク装置は、吸込管を通じて油圧ポンプに吸込まれる作動油が吸込フィルタを通過するときに、この作動油中に混入した異物を吸込フィルタによって捕捉することにより、清浄な作動油のみを油圧ポンプによって吸込み、各油圧アクチュエータに供給する構成となっている。
【発明の開示】
【発明が解決しようとする課題】
【０００７】
ところで、近年では、油圧ショベルの上部旋回体の大きさを変えずに作業装置を一廻り大型化する傾向があり、この場合には、作業装置に設けられる各油圧シリンダが大型化する分、タンク本体の容量が増大することになる。また、例えばハイリフト仕様の作業装置のような複数のブームを有する作業装置を用いる場合には、作業装置に設けられる油圧シリンダの数が増加する分、タンク本体の容量が増大することになる。
【０００８】
ここで、作動油タンク装置は、上部旋回体のベースとなる旋回フレーム上の限られた面積範囲内に配置されるため、タンク本体の底面積を拡大して容量を増やすのは困難である。従って、タンク本体の容量を増大させるときには、通常、底面積を一定に保ったままタンク本体の高さ寸法を大きくする方法が採用されている。
【０００９】
しかし、タンク本体の高さ寸法を大きくした場合には、タンク本体の下側に配置される吸込フィルタと、タンク本体の上側に配置されるロッド保持部材との間の距離が大きくなる。このため、吸込フィルタに固定されたロッドの自由端がロッド保持部材から離脱してしまい、タンク本体内の適正な位置に吸込フィルタを保持することができなくなるという問題がある。
【００１０】
これに対し、タンク本体の高さ寸法が増大した分、ロッドの長さ寸法を増大させることが考えられるが、ロッドの下端側は吸込フィルタの上部に固定されている。このため、ロッドの長さが増大して重量が増加した場合には、吸込フィルタがロッドの重量によって変形してしまい、吸込フィルタの機能が低下してしまう。
【００１１】
本発明は上述した従来技術の問題に鑑みなされたもので、タンク本体の容量が変化することにより当該タンク本体の高さが変化する場合でも、ロッドの長さを変えることなくタンク本体内で吸込フィルタを適正に保持することができるようにしたタンク装置を提供することを目的としている。
【課題を解決するための手段】
【００１２】
上述した課題を解決するため本発明は、液体を貯溜するタンク本体と、該タンク本体の下側に開口して設けられポンプに吸込まれる液体が流通する吸込管と、該吸込管を覆って着脱可能に取付けられ該吸込管を流通する液体を清浄化する吸込フィルタと、下端側が該吸込フィルタに固定され上端側が自由端となったロッドと、前記タンク本体の上側に設けられ前記吸込フィルタと該ロッドとが一緒に挿通されるフィルタ挿通孔と、該フィルタ挿通孔を施蓋しつつ前記タンク本体内へと突出し前記ロッドの自由端を保持するロッド保持部材とを備えてなるタンク装置に適用される。
【００１３】
そして、請求項１の発明の特徴は、前記ロッド保持部材は、前記タンク本体内への突出長さが異なる複数種類を備え、これら複数種類のロッド保持部材のうち前記タンク本体の高さに対応した一つのロッド保持部材を選択して前記フィルタ挿通孔に取付ける構成としたことにある。
【００１４】
請求項２の発明は、前記ロッド保持部材は、前記フィルタ挿通孔を施蓋する蓋体と、基端側が該蓋体に取付けられ先端側が前記ロッドの自由端が嵌入されるロッド嵌入部となったパイプ体とにより構成したことにある。
【００１５】
請求項３の発明は、前記パイプ体の先端側には、前記パイプ体のロッド嵌入部に前記ロッドの自由端を嵌入するときに前記ロッド嵌入部と前記ロッドの自由端とを前記フィルタ挿通孔から目視するための目視用開口を設ける構成としたことにある。
【００１６】
請求項４の発明は、前記パイプ体の先端側には、前記ロッドの自由端を前記ロッド嵌入部へと案内するため先端側が拡径したテーパ筒部を設ける構成としたことにある。
【００１７】
請求項５の発明は、前記パイプ体は前記タンク本体の高さに応じて長さが異なる複数種類を備え、これら複数種類のパイプ体のうち一つのパイプ体を選択して前記蓋体に着脱可能に取付ける構成としたことにある。
【発明の効果】
【００１８】
請求項１の発明によれば、タンク本体の容量の変化に伴って該タンク本体の高さ寸法が変化したとしても、タンク本体内への突出長さが異なる複数種類のロッド保持部材を用意し、これら複数種類のロッド保持部材のうちタンク本体の高さ寸法に対応した一つのロッド保持部材を選択してフィルタ挿通孔に取付けることができる。
【００１９】
これにより、吸込フィルタに固定されたロッドの長さが最大長さを超えることがなく、吸込フィルタに適合した一定の長さを有するロッドを用いたまま、ロッド保持部材によって当該ロッドの自由端を保持することができる。この結果、タンク本体の高さ寸法の変化に関わらず、常にタンク本体内の適正な位置に吸込フィルタを保持しておくことができるので、油圧アクチュエータに供給される作動油を吸込フィルタによって適正に清浄化することができる。
【００２０】
請求項２の発明によれば、ロッド保持部材を、フィルタ挿通孔を施蓋する蓋体と、該蓋体に固定され先端側がロッド嵌入部となったパイプ体とにより構成したので、蓋体から突出するパイプ体の長さ寸法を、タンク本体の高さ寸法に応じて変更することにより、パイプ体のロッド嵌入部にロッドの自由端を確実に嵌入することができる。従って、タンク本体の高さ寸法の変化に関わらず、パイプ体のロッド嵌入部にロッドの自由端を嵌入することにより、タンク本体内の適正な位置に吸込フィルタを保持することができる。
【００２１】
請求項３の発明によれば、パイプ体のロッド嵌入部にロッドの自由端を嵌入するときに、作業者は、フィルタ挿通孔からパイプ体の先端側に設けた目視用開口を通じて、パイプ体のロッド嵌入部とロッドの自由端とを直接目視することができる。このため、パイプ体のロッド嵌入部にロッドの自由端を迅速に嵌入することができ、その作業性を高めることができる。
【００２２】
請求項４の発明によれば、パイプ体の先端側に設けたテーパ筒部によって、ロッドの自由端をパイプ体のロッド嵌入部へと案内することができるので、タンク本体のフィルタ挿通孔をロッド保持部材の蓋体によって施蓋するときに、パイプ体のロッド嵌入部をロッドの自由端に容易に嵌入することができ、その作業性を一層高めることができる。
【００２３】
請求項５の発明によれば、長さが異なる複数種類のパイプ体のうちタンク本体の高さ寸法に対応した一つのパイプ体を選択し、このパイプ体を蓋体に着脱可能に取付けることにより、吸込フィルタに取付けられたロッドの自由端を保持することができる。従って、ロッド保持部材のうち蓋体を共通部品とし、この蓋体に対してパイプ体のみを交換することにより、タンク本体の高さ寸法の変化に迅速に対応することができる。
【発明を実施するための最良の形態】
【００２４】
以下、本発明に係るタンク装置の実施の形態を、油圧ショベルの作動油タンク装置に適用した場合を例に挙げ、図１ないし図１５を参照しつつ詳細に説明する。
【００２５】
まず、図１ないし図７は本発明の第１の実施の形態を示している。図中、１は建設機械の代表例である油圧ショベルで、該油圧ショベル１は、自走可能なクローラ式の下部走行体２と、該下部走行体２上に旋回可能に搭載された上部旋回体３と、該上部旋回体３の前部側に設けられた作業装置４とにより大略構成されている。
【００２６】
そして、作業装置４は、上部旋回体３に取付けられたブーム４Ａと、該ブーム４Ａの先端側に取付けられたアーム４Ｂと、該アーム４Ｂの先端側に取付けられたバケット４Ｃと、ブームシリンダ４Ｄ、アームシリンダ４Ｅ、バケットシリンダ４Ｆとにより大略構成されている。
【００２７】
一方、上部旋回体３は、支持構造体をなす旋回フレーム５を有し、該旋回フレーム５の前部左側には、運転室を画成するキャブ６が配設され、旋回フレーム５の後端側には、作業装置４との重量バランスをとるカウンタウエイト７が配設されている。また、カウンタウエイト７の前側には、エンジン、油圧ポンプ、熱交換装置等の搭載機器（いずれも図示せず）を収容する建屋カバー８が設けられている。さらに、建屋カバー８の右前側には、燃料を貯溜する燃料タンク９が配設され、建屋カバー８の左前側には、後述の作動油タンク装置１１が配設されている。
【００２８】
１１は建屋カバー８の左前側に位置して旋回フレーム５上に設けられた作動油タンク装置で、該作動油タンク装置１１は、下部走行体２に設けられた走行用の油圧モータ及び上部旋回体３に設けられた旋回用の油圧モータ（いずれも図示せず）、作業装置４を構成するブームシリンダ４Ｄ、アームシリンダ４Ｅ、バケットシリンダ４Ｆ等の各油圧アクチュエータに供給される作動油を貯溜するものである。
【００２９】
そして、作動油タンク装置１１は、図３ないし図６に示すように、後述のタンク本体１２、吸込管１３、吸込フィルタ１４、ロッド１５、フィルタ挿通孔１６、ロッド保持部材１８等により構成されている。
【００３０】
１２は作動油タンク装置１１のベースとなるタンク本体で、該タンク本体１２は、図１に示す旋回フレーム５の上面側にブラケット等（図示せず）を介して取付けられ、その内部に作動油を貯溜するものである。ここで、タンク本体１２は、図３及び図４に示すように、底面板１２Ａと、上面板１２Ｂと、前面板１２Ｃと、後面板１２Ｄと、左，右の側面板１２Ｅとによって囲まれた直方体の箱状に形成されている。
【００３１】
そして、タンク本体１２を構成する後面板１２Ｄの高さ方向の中間部位には、油圧ショベル１に搭載された各油圧アクチュエータからの戻り油をタンク本体１２内に流入させる流入管１２Ｆが固着されている。また、タンク本体１２の底面板１２Ａには、後述の吸込管１３が接続され、タンク本体１２の上面板１２Ｂには、後述のフィルタ挿通孔１６が設けられている。
【００３２】
１３はタンク本体１２の底面板１２Ａに開口して設けられた吸込管で、該吸込管１３は、略Ｌ字状をなすエルボにより形成されている。ここで、底面板１２Ａに接続された吸込管１３の一端側は、タンク本体１２内に開口する開口端１３Ａとなっている。一方、吸込管１３の他端側は、油圧配管、油圧ホース等を介して油圧ポンプ（いずれも図示せず）の吸込側に接続されるものである。そして、タンク本体１２内に貯溜された作動油は、吸込管１３等を通じて油圧ポンプに吸込まれ、該油圧ポンプの吐出側から油圧アクチュエータへと圧送される構成となっている。
【００３３】
１４はタンク本体１２内の下端側に設けられた吸込フィルタで、該吸込フィルタ１４は、タンク本体１２内に開口した吸込管１３の開口端１３Ａを覆って着脱可能に取付けられ、タンク本体１２から吸込管１３へと流通する作動油を清浄化するものである。ここで、吸込フィルタ１４は、全体として吸込管１３の開口端１３Ａよりも大きな内径寸法を有する円筒状に形成されている。また、吸込フィルタ１４の上端側には円板状の上取付板１４Ａが設けられ、該上取付板１４Ａの中心部には、後述するロッド１５の基端側が固定される構成となっている。
【００３４】
一方、吸込フィルタ１４の下端側には環状の下取付板１４Ｂが設けられ、該下取付板１４Ｂの内周側は、吸込管１３の開口端１３Ａの外周に挿嵌されている。このように、吸込フィルタ１４は、吸込管１３の開口端１３Ａを覆った状態でタンク本体１２内に設けられ、タンク本体１２内の作動油が吸込管１３へと流通するときに、この作動油内に混入した異物を捕捉して清浄化するものである。
【００３５】
１５は基端側が吸込フィルタ１４に固定されたロッドで、該ロッド１５は、吸込フィルタ１４から上，下方向に延びている。ここで、ロッド１５は一定の長さを有する１本の丸棒材により形成され、ロッド１５の基端側（下端側）は吸込フィルタ１４の上取付板１４Ａに固定されている。一方、ロッド１５の上端側は自由端１５Ａとなり、この自由端１５Ａの外周側に形成された雄ねじ部にはナット１５Ｂ，１５Ｂが互いに廻止め状態に螺合している。そして、ロッド１５の自由端１５Ａは、後述のロッド保持部材１８によって保持される構成となっている。ここで、ロッド１５は、吸込フィルタ１４がロッド１５の重量によって変形、破損等を生じるのを防止するため、許容最大長さ以下の一定の長さをもって形成されている。
【００３６】
１６はタンク本体１２の上面板１２Ｂに穿設されたフィルタ挿通孔で、該フィルタ挿通孔１６は、タンク本体１２内に吸込フィルタ１４を配置するときに、該吸込フィルタ１４とロッド１５とが一緒に挿通されるものである。ここで、フィルタ挿通孔１６は、吸込フィルタ１４の外径寸法よりも大径な円形孔として形成され、吸込管１３の開口端１３Ａとほぼ同心上に配置されている。また、タンク本体１２の上面板１２Ｂには、フィルタ挿通孔１６を外周側から取囲む環状の取付フランジ１７が溶接等によって固着され、該取付フランジ１７には、後述の蓋体１９が着脱可能に取付けられる構成となっている。
【００３７】
１８はタンク本体１２のフィルタ挿通孔１６に着脱可能に取付けられるロッド保持部材で、該ロッド保持部材１８は、フィルタ挿通孔１６を施蓋しつつタンク本体１２内へと突出し、吸込フィルタ１４に固定されたロッド１５の自由端１５Ａを保持するものである。ここで、ロッド保持部材１８は、本実施の形態によるタンク本体１２に対応するもので、図５ないし図７に示すように、後述の蓋体１９と、パイプ体２１とにより大略構成されている。
【００３８】
１９はロッド保持部材１８を構成する蓋体で、該蓋体１９は、タンク本体１２の上面板１２Ｂに穿設されたフィルタ挿通孔１６を施蓋するものである。ここで、蓋体１９は、金属材料または樹脂材料を用いて取付フランジ１７とほぼ等しい外径寸法を有する円板状に形成され、蓋体１９の中心部には、後述のエアブリーザ２０が取付けられる環状の取付座１９Ａが一体形成されている。そして、蓋体１９は、複数のボルト１９Ｂ，１９Ｂ，…を用いて取付フランジ１７の上面に着脱可能に取付けられ、タンク本体１２のフィルタ挿通孔１６を液密に施蓋している。
【００３９】
２０は蓋体１９の取付座１９Ａに取付けられたエアブリーザ（呼吸栓）で、該エアブリーザ２０は、タンク本体１２内の圧力が外気圧よりも上昇したときにタンク本体１２内の空気を外部に排出する排気チェック弁と、タンク本体１２内が負圧となったときにタンク本体１２内に外部の空気を吸込む吸気チェック弁とを備えて構成されている。そして、エアブリーザ２０は、タンク本体１２内の圧力が外気圧とほぼ同圧となるように調整するものである。
【００４０】
２１は基端側２１Ａが蓋体１９に固定されたパイプ体で、該パイプ体２１の先端側は、蓋体１９の下面からタンク本体１２内に突出し、吸込フィルタ１４に固定されたロッド１５の自由端１５Ａを保持するものである。ここで、パイプ体２１は、図５ないし図７に示すように、金属材料または樹脂材料を用いて円筒状に形成され、その長さ方向の途中部位には、軽量化を図るための複数の径方向孔２１Ｂ，２１Ｂ，…が穿設されている。
【００４１】
そして、パイプ体２１の基端側２１Ａは、蓋体１９の中心部下面に固着され、パイプ体２１の先端側は、ロッド１５の自由端１５Ａに向けてタンク本体１２内に突出している。ここで、蓋体１９とパイプ体２１とがいずれも金属材料で形成されている場合は、両者は溶接または圧入等の手段を用いて固着され、蓋体１９とパイプ体２１とがいずれも樹脂材料で形成されている場合は、両者は接着または圧入等の手段を用いて固着されるものである。また、パイプ体２１の先端部には、パイプ体２１の外径寸法よりも狭幅な長方形状の端板２１Ｃが固着して設けられ、該端板２１Ｃには、パイプ体２１の軸中心と同心上にロッド嵌入部としてのロッド嵌入孔２１Ｄが穿設されている。
【００４２】
そして、図４及び図６に示すように、タンク本体１２のフィルタ挿通孔１６をロッド保持部材１８の蓋体１９によって施蓋するときに、吸込フィルタ１４に固定されたロッド１５の自由端１５Ａを、パイプ体２１のロッド嵌入孔２１Ｄに嵌入することにより、図３及び図５に示すように、パイプ体２１によってロッド１５の自由端１５Ａを保持し、吸込フィルタ１４を、吸込管１３の開口端１３Ａを覆った状態に保持することができる構成となっている。
【００４３】
ここで、図３に示すように、タンク本体１２とロッド１５とについて、タンク本体１２の底面板１２Ａの下面から蓋体１９の下面までの距離（タンク本体１２の高さ寸法）をＡ１、タンク本体１２の底面板１２Ａの下面からロッド１５の自由端１５Ａまでの距離（ロッド１５の長さ寸法）をＢ１、蓋体１９の下面からのパイプ体２１の突出長さをＣ１、パイプ体２１の先端部とロッド１５の自由端１５Ａとの重なり寸法をΔＣとした場合、パイプ体２１の突出長さＣ１は、下記数１のように表わされる。
【００４４】
【数１】
2008185130.tif 000003
【００４５】
即ち、本実施の形態によるパイプ体２１の突出長さＣ１は、タンク本体１２の高さ寸法Ａ１とロッド１５の長さ寸法Ｂ１との差よりもΔＣだけ長い寸法に設定されている。
【００４６】
２２，２２はパイプ体２１の先端側に設けられた２個の目視用開口で、該各目視用開口２２は、パイプ体２１の端板２１Ｃから上方に延びる長孔状に形成され、パイプ体２１の径方向で互いに対向するように配置されている。これにより、図４及び図６に示すように、パイプ体２１のロッド嵌入孔２１Ｄをロッド１５の自由端１５Ａに嵌入するときに、図６中に一点鎖線で示す作業者の視線Ｌは、タンク本体１２のフィルタ挿通孔１６からパイプ体２１の目視用開口２２を通じて当該パイプ体２１のロッド嵌入孔２１Ｄに達し、さらに、ロッド嵌入孔２１Ｄを通じてロッド１５の自由端１５Ａに達するようになる。
【００４７】
即ち、パイプ体２１のロッド嵌入孔２１Ｄをロッド１５の自由端１５Ａに嵌入するときに、作業者は、タンク本体１２のフィルタ挿通孔１６から、パイプ体２１に設けた目視用開口２２を通じて、ロッド嵌入孔２１Ｄとロッド１５の自由端１５Ａとを直接目視しながら、ロッド嵌入孔２１Ｄにロッド１５の自由端１５Ａを嵌入することができる構成となっている。
【００４８】
２３はパイプ体２１の先端側に設けられたテーパ筒部で、該テーパ筒部２３は、ロッド１５の自由端１５Ａを、パイプ体２１のロッド嵌入孔２１Ｄへと案内するものである。ここで、図５及び図６に示すように、テーパ筒部２３は、ロッド１５の自由端１５Ａに設けたナット１５Ｂの外径よりも大きな内径寸法を有し、先端側（下端側）に向けて徐々に拡径するテーパ状の円筒体により構成されている。そして、テーパ筒部２３は、その基端側（上端側）がパイプ体２１の端板２１Ｃに固着されることにより、該端板２１Ｃに穿設されたロッド嵌入孔２１Ｄと同心上に配置されている。
【００４９】
従って、図４及び図６に示すように、タンク本体１２のフィルタ挿通孔１６を蓋体１９によって施蓋するときに、パイプ体２１の先端側に設けたテーパ筒部２３内にロッド１５の自由端１５Ａを挿入すると、該自由端１５Ａに設けたナット１５Ｂが、テーパ筒部２３の内周面に当接する。この場合、テーパ筒部２３は、先端側から基端側（パイプ体２１側）に向けて徐々に縮径するテーパ状をなしているので、ロッド１５のナット１５Ｂをテーパ筒部２３に当接させつつ蓋体１９を下方に移動させることにより、ロッド１５の自由端１５Ａをパイプ体２１のロッド嵌入部２１Ｄへと案内し、図３及び図５に示すように、ロッド１５の自由端１５Ａを、ロッド嵌入部２１Ｄに容易に嵌入することができる構成となっている。
【００５０】
本実施の形態による作動油タンク装置１１は上述の如き構成を有するもので、以下、タンク本体１２内で吸込フィルタ１４を保持する作業について説明する。
【００５１】
まず、タンク本体１２の高さ寸法Ａ１と、吸込フィルタ１４に固定したロッド１５の長さ寸法Ｂ１とにより、上述した数１に基づいて蓋体１９からのパイプ体２１の突出長さＣ１を算出する。このようにして、蓋体１９からのパイプ体２１の突出長さＣ１を有するロッド保持部材１８を、高さ寸法Ａ１を有するタンク本体１２に対応するロッド保持部材として選択する。
【００５２】
次に、図４及び図６に示すように、選択したロッド保持部材１８をタンク本体１２のフィルタ挿通孔１６に取付けるため、タンク本体１２の取付フランジ１７に向けて下方へと移動させ、ロッド保持部材１８のパイプ体２１をタンク本体１２内に挿入していく。そして、パイプ体２１の先端側に設けたロッド嵌入孔２１Ｄに、吸込フィルタ１４に固定されたロッド１５の自由端１５Ａを嵌入する。
【００５３】
この場合、パイプ体２１の先端側には目視用開口２２が設けられているので、ロッド保持部材１８を持った作業者は、図６中に一点鎖線で示す視線Ｌのように、タンク本体１２のフィルタ挿通孔１６から、目視用開口２２を通じてパイプ体２１のロッド嵌入孔２１Ｄを目視すると共に、該ロッド嵌入孔２１Ｄを通じてロッド１５の自由端１５Ａを目視することができる。
【００５４】
このように、パイプ体２１のロッド嵌入孔２１Ｄをロッド１５の自由端１５Ａに嵌入するときに、作業者は、パイプ体２１の先端側に設けた目視用開口２２を通じて、フィルタ挿通孔１６からロッド嵌入孔２１Ｄとロッド１５の自由端１５Ａとを直接目視しつつ、ロッド嵌入孔２１Ｄにロッド１５の自由端１５Ａを嵌入する作業を行うことができるので、その作業性を高めることができる。
【００５５】
また、パイプ体２１の先端側には、パイプ体２１からロッド１５に向けて先端側が徐々に拡径するテーパ筒部２３が設けられているので、このテーパ筒部２３内にロッド１５の自由端１５Ａを挿入し、該自由端１５Ａに取付けたナット１５Ｂをテーパ筒部２３の内周面に当接させることにより、図３及び図５に示すように、ロッド１５の自由端１５Ａをパイプ体２１のロッド嵌入孔２１Ｄへと案内することができる。
【００５６】
このようにして、ロッド保持部材１８の蓋体１９をタンク本体１２の取付フランジ１７に当接させる間に、パイプ体２１のロッド嵌入孔２１Ｄに確実にロッド１５の自由端１５Ａを嵌入することができる。従って、ロッド保持部材１８をタンク本体１２のフィルタ挿通孔１６に取付けるときに、ロッド保持部材１８のパイプ体２１によってロッド１５の自由端１５Ａを保持することができ、吸込フィルタ１４を、吸込管１３の開口端１３Ａを覆った状態に保持することができる。
【００５７】
そして、ロッド保持部材１８の蓋体１９をボルト１９Ｂを用いて取付フランジ１７に固定し、タンク本体１２のフィルタ挿通孔１６を施蓋することにより、タンク本体１２内の適正な位置で吸込フィルタ１４を保持する作業が終了する。
【００５８】
次に、図８ないし図１２は本発明の第２の実施の形態を示し、本実施の形態では、上述した第１の実施の形態に用いたタンク本体に比較して、高さ寸法が大きいタンク本体を用いた場合を示している。なお、本実施の形態では、第１の実施の形態と同一の構成要素に同一符号を付し、その説明を省略するものとする。
【００５９】
図中、３１は本実施の形態による作動油タンク装置を示し、該作動油タンク装置３１は、第１の実施の形態による作動油タンク装置１１と同様に、後述のタンク本体３２、吸込管１３、吸込フィルタ１４、ロッド１５、フィルタ挿通孔１６、後述のロッド保持部材３３等により構成されている。
【００６０】
然るに、本実施の形態による作動油タンク装置３１は、第１の実施の形態によるタンク本体１２に比較して高さ寸法が大きなタンク本体３２と、このタンク本体３２に対応するロッド保持部材３３とを備えた点で、第１の実施の形態による作動油タンク装置１１とは異なるものである。
【００６１】
３２は作動油タンク装置３１のベースとなるタンク本体で、該タンク本体３２は、第１の実施の形態によるタンク本体１２と同様に、底面板３２Ａと、上面板３２Ｂと、前面板３２Ｃと、後面板３２Ｄと、左，右の側面板３２Ｅとによって囲まれた直方体の箱状に形成されている。そして、タンク本体３２を構成する後面板３２Ｄの高さ方向の中間部位には、各油圧アクチュエータからの戻り油をタンク本体３２内に流入させる流入管３２Ｆが固着されている。
【００６２】
ここで、タンク本体３２の底面板３２Ａには吸込管１３が接続され、タンク本体３２の上面板３２Ｂには、フィルタ挿通孔１６と取付フランジ１７とが設けられている。そして、タンク本体３２内には、吸込管１３の開口端１３Ａを覆った状態で吸込フィルタ１４が配設され、該吸込フィルタ１４に固定されたロッド１５の自由端１５Ａは上方へと延びている。
【００６３】
３３はタンク本体３２のフィルタ挿通孔１６に着脱可能に取付けられるロッド保持部材で、該ロッド保持部材３３は、フィルタ挿通孔１６を施蓋しつつタンク本体３２内へと突出し、吸込フィルタ１４に固定されたロッド１５の自由端１５Ａを保持するものである。ここで、ロッド保持部材３３は、本実施の形態によるタンク本体３２に対応するもので、図１０ないし図１２に示すように、蓋体１９と、後述のパイプ体３４とにより大略構成され、蓋体１９の取付座１９Ａにはエアブリーザ２０が取付けられている。
【００６４】
３４は基端側３４Ａが蓋体１９に固定されたパイプ体で、該パイプ体３４の先端側は、蓋体１９の下面からタンク本体３２内に突出し、吸込フィルタ１４に固定されたロッド１５の自由端１５Ａを保持するものである。ここで、パイプ体３４は円筒状のパイプ材を用いて形成され、その長さ方向の途中部位には複数の径方向孔３４Ｂ，３４Ｂ，…が穿設されている。
【００６５】
そして、パイプ体３４の基端側３４Ａは、蓋体１９の中心部下面に溶接等の手段を用いて固着され、パイプ体３４の先端側は、ロッド１５の自由端１５Ａに向けてタンク本体３２内に突出している。また、パイプ体３４の先端部には端板３４Ｃが固着して設けられ、該端板３４Ｃにはロッド嵌入部としてのロッド嵌入孔３４Ｄが穿設されている。
【００６６】
ここで、図８に示すように、タンク本体３２とロッド１５とについて、タンク本体３２の底面板３２Ａの下面から蓋体１９の下面までの距離（タンク本体３２の高さ寸法）をＡ２、タンク本体３２の底面板３２Ａの下面からロッド１５の自由端１５Ａまでの距離（ロッド１５の長さ寸法）をＢ１、蓋体１９の下面からのパイプ体３４の突出長さをＣ２、パイプ体３４の先端部とロッド１５の自由端１５Ａとの重なり寸法をΔＣとした場合、パイプ体３４の突出長さＣ２は、下記数２のように表わされる。
【００６７】
【数２】
2008185130.tif 000004
【００６８】
即ち、本実施の形態によるパイプ体３４の突出長さＣ２は、タンク本体３２の高さ寸法Ａ２とロッド１５の長さ寸法Ｂ１との差よりもΔＣだけ長い寸法に設定されている。なお、ロッド１５の長さ寸法Ｂ１は一定寸法であり、上述した第１の実施の形態と同一である。
【００６９】
３５，３５はパイプ体３４の先端側に設けられた２個の目視用開口で、該各目視用開口３５は、パイプ体３４の端板３４Ｃから上方に延びる長孔状に形成されている。これにより、パイプ体３４のロッド嵌入孔３４Ｄをロッド１５の自由端１５Ａに嵌入するときに、作業者は、タンク本体３２のフィルタ挿通孔１６から、パイプ体３４の先端側に設けた目視用開口３５を通じて、ロッド嵌入孔３４Ｄとロッド１５の自由端１５Ａとを直接目視しながら、ロッド嵌入孔３４Ｄにロッド１５の自由端１５Ａを嵌入することができる構成となっている。
【００７０】
３６はパイプ体３４の先端側に設けられたテーパ筒部で、該テーパ筒部３６は、ロッド１５の自由端１５Ａに設けたナット１５Ｂの外径よりも大きな内径寸法を有し、先端側（下端側）に向けて徐々に拡径するテーパ状の円筒体により構成されている。そして、テーパ筒部３６は、ロッド１５の自由端１５Ａをパイプ体３４のロッド嵌入孔３４Ｄへと案内するものである。
【００７１】
本実施の形態による作動油タンク装置３１は、上述の如き構成を有するもので、タンク本体３２内で吸込フィルタ１４を保持する場合には、まず、タンク本体３２の高さ寸法Ａ２と、吸込フィルタ１４に固定したロッド１５の長さ寸法Ｂ１とにより、上述した数２に基づいて蓋体１９からのパイプ体３４の突出長さＣ２を算出する。このようにして、蓋体１９からのパイプ体３４の突出長さＣ２を有するロッド保持部材３３を、高さ寸法Ａ２を有するタンク本体３２に対応するロッド保持部材として選択する。
【００７２】
次に、図９及び図１１に示すように、選択したロッド保持部材３３のパイプ体３４をタンク本体３２内に挿入し、パイプ体３４の先端側に設けたロッド嵌入孔３４Ｄに、吸込フィルタ１４に固定されたロッド１５の自由端１５Ａを嵌入する。
【００７３】
この場合、作業者は、パイプ体３４の先端側に設けた目視用開口３５を通じて、フィルタ挿通孔１６からロッド嵌入孔３４Ｄとロッド１５の自由端１５Ａとを直接目視しつつ、ロッド嵌入孔３４Ｄにロッド１５の自由端１５Ａを嵌入する作業を行うことができるので、その作業性を高めることができる。
【００７４】
また、パイプ体３４の先端側には先端側が徐々に拡径するテーパ筒部３６が設けられているので、このテーパ筒部３６内にロッド１５の自由端１５Ａを挿入し、該自由端１５Ａに取付けたナット１５Ｂをテーパ筒部３６の内周面に当接させることにより、図８及び図１０に示すように、ロッド１５の自由端１５Ａをパイプ体３４のロッド嵌入孔３４Ｄへと案内することができる。
【００７５】
このように、本実施の形態においても、ロッド保持部材３３をタンク本体３２のフィルタ挿通孔１６に取付けるときに、ロッド保持部材３３のパイプ体３４によってロッド１５の自由端１５Ａを保持することができるので、吸込フィルタ１４を吸込管１３の開口端１３Ａを覆った状態に保持することができる。
【００７６】
かくして、第１の実施の形態による作動油タンク装置１１は、高さ寸法Ａ１を有するタンク本体１２内で吸込フィルタ１４に固定されたロッド１５の自由端１５Ａを保持するため、蓋体１９からのパイプ体２１の突出長さＣ１を有するロッド保持部材１８を選択し、該ロッド保持部材１８をタンク本体１２のフィルタ挿通孔１６に取付ける構成としている。
【００７７】
一方、第２の実施の形態による作動油タンク装置３１は、第１の実施の形態によるタンク本体１２よりも大きな高さ寸法Ａ２を有するタンク本体３２内でロッド１５の自由端１５Ａを保持するため、蓋体１９からのパイプ体３４の突出長さＣ２を有するロッド保持部材３３を選択し、該ロッド保持部材３３をタンク本体３２のフィルタ挿通孔１６に取付ける構成としている。
【００７８】
このように、高さ寸法Ａ１を有するタンク本体１２が、これよりも大きな高さ寸法Ａ２を有するタンク本体３２に変化したとしても、このタンク本体３２の高さ寸法Ａ２に対応するロッド保持部材３３を選択してタンク本体３２のフィルタ挿通孔１６に取付けることにより、吸込フィルタ１４に固定されたロッド１５の長さを増大させることなく、一定の長さ寸法Ｂ１を有するロッド１５の自由端１５Ａを、ロッド保持部材３３によって確実に保持することができる。
【００７９】
この結果、高さ寸法Ａ１を有するタンク本体１２を用いた場合でも、高さ寸法Ａ２を有するタンク本体３２を用いた場合でも、ロッド１５の長さ寸法Ｂ１を変化させることなく、吸込フィルタ１４を、吸込管１３の開口端１３Ａを覆った適正な状態に保持しておくことができる。
【００８０】
従って、ロッド１５の重量が増大して吸込フィルタ１４が変形、破損等を生じることがなく、タンク本体３２から吸込管１３を通じて油圧アクチュエータに供給される作動油を、吸込フィルタ１４によって適正に清浄化することができる。
【００８１】
次に、図１３及び図１４は本発明の第３の実施の形態を示し、本実施の形態の特徴は、ロッド保持部材を、蓋体と、該蓋体に着脱可能に取付けられる複数種類のパイプ体とにより構成したことにある。なお、本実施の形態では、上述した第１の実施の形態と同一の構成要素に同一符号を付し、その説明を省略するものとする。
【００８２】
図中、４１は本実施の形態によるロッド保持部材で、該ロッド保持部材４１は、後述の蓋体４２と、後述する複数種類のパイプ体４３，４７とにより構成されている。そして、ロッド保持部材４１は、蓋体４２を共通部品とし、各パイプ体４３，４７のうちタンク本体の高さ寸法に対応する一つのパイプ体を選択して蓋体４２に着脱可能に取付けるものである。
【００８３】
４２はタンク本体１２のフィルタ挿通孔１６を施蓋する蓋体で、該蓋体４２は、第１の実施の形態による蓋体１９に代えて本実施の形態に用いたものである。ここで、蓋体４２は、タンク本体１２の取付フランジ１７とほぼ等しい外径寸法を有する円板状に形成され、その中心部には、エアブリーザ２０が取付けられる環状の取付座４２Ａが一体形成されている。そして、蓋体４２は、複数のボルト４２Ｂを用いて取付フランジ１７の上面に着脱可能に取付けられ、タンク本体１２のフィルタ挿通孔１６を液密に施蓋している。
【００８４】
また、蓋体４２の中心部下面から取付座４２Ａには、軸方向に延びるパイプ嵌合穴４２Ｃが設けられ、該パイプ嵌合穴４２Ｃには、後述するパイプ体４３，４７の基端側が嵌合する構成となっている。さらに、取付座４２Ａには、パイプ嵌合穴４２Ｃを通って径方向に貫通するピン孔４２Ｄが穿設され、該ピン孔４２Ｄには、後述の割ピン４６が挿通される構成となっている。
【００８５】
４３は基端側４３Ａが蓋体４２に着脱可能に取付けられるパイプ体で、該パイプ体４３は、第１の実施の形態によるパイプ体２１とほぼ同様に、円筒状のパイプ材を用いて形成され、長さ方向の途中部位には複数の径方向孔４３Ｂが穿設されている。また、パイプ体４３の先端側には端板４３Ｃが固着され、該端板４３Ｃにはロッド嵌入部としてのロッド嵌入孔４３Ｄが設けられている。
【００８６】
ここで、パイプ体４３の基端側４３Ａには、径方向に貫通するピン孔４３Ｅが設けられている。一方、パイプ体４３の先端側には、２個の目視用開口４４が設けられると共に、テーパ筒部４５が設けられている。
【００８７】
そして、パイプ体４３は、その基端側４３Ａを蓋体４２のパイプ嵌合穴４２Ｃ内に嵌合させることにより、蓋体４２に着脱可能に取付けられ、蓋体４２のピン孔４２Ｄと、パイプ体４３のピン孔４３Ｅとに割ピン４６を挿通することにより、蓋体４２に対してパイプ体４３を抜止めする構成となっている。
【００８８】
４７は基端側４７Ａが蓋体４２に着脱可能に取付けられる他のパイプ体で、該パイプ体４７は、上述のパイプ体４３よりも大きな長さ寸法をもって形成され、長さ方向の途中部位には複数の径方向孔４７Ｂが穿設されている。また、パイプ体４７の先端側には端板４７Ｃが固着され、該端板４７Ｃにはロッド嵌入部としてのロッド嵌入孔４７Ｄが設けられている。
【００８９】
ここで、パイプ体４７の基端側４７Ａには、径方向に貫通するピン孔４７Ｅが設けられている。一方、パイプ体４７の先端側には、２個の目視用開口４８が設けられると共に、テーパ筒部４９が設けられている。
【００９０】
そして、パイプ体４７は、その基端側４７Ａを蓋体４２のパイプ嵌合穴４２Ｃ内に嵌合させることにより、蓋体４２に着脱可能に取付けられ、蓋体４２のピン孔４２Ｄと、パイプ体４７のピン孔４７Ｅとに割ピン４６を挿通することにより、蓋体４２に対してパイプ体４７を抜止めする構成となっている。
【００９１】
かくして、本実施の形態によれば、ロッド保持部材４１を、蓋体４２と、長さ寸法が異なる複数種類（２種類）のパイプ体４３，４７とにより構成したので、タンク本体の高さ寸法に対応する長さ寸法を有するパイプ体４３またはパイプ体４７を選択的に蓋体４２に取付けることができる。従って、ロッド保持部材４１のうち蓋体４２を共通部品とし、この蓋体４２に対してパイプ体４３，４７のみを交換することにより、タンク本体の高さ寸法の変化に迅速に対応することができるので、部品点数を削減することができ、製造コストの低減にも寄与することができる。
【００９２】
なお、上述した第３の実施の形態では、共通部品としての蓋体４２にパイプ嵌合穴４２Ｃを設け、このパイプ嵌合孔４２Ｃにパイプ体４３の基端側４３Ａ、またはパイプ体４７の基端側４７Ａを着脱可能に嵌合し、割ピン４６によって抜止めする場合を例示している。しかし、本発明はこれに限るものではなく、例えば図１５に示す変形例のように、パイプ嵌合孔４２Ｃの内周側に雌ねじ部４２Ｄ′を設けた共通部品としての蓋体４２′を用いると共に、基端側４３Ａの外周に雄ねじ部４３Ｅ′を設けたパイプ体４３′と、基端側４７Ａの外周に雄ねじ部４７Ｅ′を設けたパイプ体４７′とを用い、蓋体４２′の雌ねじ部４２Ｄ′にパイプ体４３′の雄ねじ部４３Ｅ′、またはパイプ体４７′の雄ねじ部４７Ｅ′を螺合して取付ける構成としてもよい。
【００９３】
また、上述した第１の実施の形態では、ロッド保持部材１８を構成するパイプ体２１の先端側に、吸込フィルタ１４に固定されたロッド１５の自由端１５Ａが嵌入するロッド嵌入孔２１Ｄを穿設した場合を例示している。しかし、本発明はこれに限るものではなく、例えばパイプ体の先端側にロッド嵌入部としての凹陥部を設け、この凹陥部内にロッド１５の自由端１５Ａが嵌入させる構成としてもよい。このことは、第２の実施の形態によるパイプ体３４のロッド嵌入孔３４Ｄについても同様である。
【００９４】
さらに、上述した各実施の形態では、油圧ショベルに搭載される作動油タンク装置に適用した場合を例示している。しかし、本発明はこれに限らず、例えば油圧クレーン、ホイールローダ等の他の建設機械に搭載される作動油タンク装置にも広く適用することができる。また、作動油タンク装置に限らず、例えば燃料タンク装置にも適用することができるものである。
【図面の簡単な説明】
【００９５】
【図１】本発明の第１の実施の形態による作動油タンク装置を搭載した油圧ショベルを示す正面図である。
【図２】油圧ショベルの平面図である。
【図３】作動油タンク装置を図２中の矢示III−III方向からみた断面図である。
【図４】タンク本体にロッド保持部材を取付ける状態を示す断面図である。
【図５】図３中のロッド保持部材等を拡大した要部拡大断面図である。
【図６】図４中のロッド保持部材等を拡大した要部拡大断面図である。
【図７】第１の実施の形態によるロッド保持部材の蓋体とパイプ体とを分解して示す分解斜視図である。
【図８】第２の実施の形態による作動油タンク装置を図３と同様位置からみた断面図である。
【図９】タンク本体にロッド保持部材を取付ける状態を示す断面図である。
【図１０】図８中のロッド保持部材等を拡大した要部拡大断面図である。
【図１１】図９中のロッド保持部材等を拡大した要部拡大断面図である。
【図１２】第２の実施の形態によるロッド保持部材の蓋体とパイプ体とを分解して示す分解斜視図である。
【図１３】第３の実施の形態によるロッド保持部材を示す図６と同様な要部拡大断面図である。
【図１４】ロッド保持部材を示す分解斜視図である。
【図１５】第３の実施の形態によるロッド保持部材の変形例を示す分解斜視図である。
【符号の説明】
【００９６】
１１，３１  作動油タンク装置
１２，３２  タンク本体
１３  吸込管
１３Ａ  開口端
１４  吸込フィルタ
１５  ロッド
１５Ａ  自由端
１６  フィルタ挿通孔
１８，３３，４１  ロッド保持部材
１９，４２，４２′  蓋体
２１，３４，４３，４７，４３′，４７′  パイプ体
２１Ａ，３４Ａ，４３Ａ，４７Ａ  基端側
２１Ｄ，３４Ｄ，４３Ｄ，４７Ｄ  ロッド嵌入孔（ロッド嵌入部）
２２，３５，４４，４８  目視用開口
２３，３６，４５，４９  テーパ筒部
【図１】
2008185130.tif 000005
【図２】
2008185130.tif 000006
【図３】
2008185130.tif 000007
【図４】
2008185130.tif 000008
【図５】
2008185130.tif 000009
【図６】
2008185130.tif 000010
【図７】
2008185130.tif 000011
【図８】
2008185130.tif 000012
【図９】
2008185130.tif 000013
【図１０】
2008185130.tif 000014
【図１１】
2008185130.tif 000015
【図１２】
2008185130.tif 000016
【図１３】
2008185130.tif 000017
【図１４】
2008185130.tif 000018
【図１５】
2008185130.tif 000019